(57)【要約】【課題】  従来より小型化、低コスト化及び信頼性の向上が可能な光ＬＡＮ端末装置及び光ＬＡＮシステムを提供する。【解決手段】  本発明の光ＬＡＮ端末装置２５は、信号処理部１５を経由する信号処理ルートとバイパス部４１を経由するバイパスルートとの２つのルートを備えているので、信号処理部１５を含む信号処理ルートに異常が発生しても光ＬＡＮシステム１０のシステムダウンは防がれる。そして、そのバイパスルートを構成するバイパス部４１は、光入力部２０と光出力部２１との間を光学的に常時連絡した構造になっているので、従来の可動ミラー５のような可動部を有する構造のものに比べて耐衝撃性及び信頼性が向上すると共に、部品点数が削減されて軽量化、小型化及び低コスト化が図られる。【選択図】  図２
2007096362.tif 000002
【特許請求の範囲】
【請求項１】
外部の光ファイバー（１１）が連絡されかつ光信号が入力される光入力部（２０）と、
外部の光ファイバー（１１）が連絡されかつ光信号を出力する光出力部（２１）と、
光信号を受信して電気的な信号処理を行うと共に、光信号を生成して出力可能な信号処理部（１５）と、
前記光入力部（２０）と前記光出力部（２１）との間を光学的に常時連絡したバイパス部（４１）と、
前記バイパス（４１）又は前記光入力部（２０）から分岐して、前記光入力部（２０）からの光信号を前記信号処理部（１５）に向けて伝達する受信用分岐路（４２）と、
前記バイパス（４１）又は前記光出力部（２１）から分岐して、前記信号処理部（１５）からの光信号を前記光出力部（２１）に向けて伝達する送信用分岐路（４３）と備えたことを特徴とする光ＬＡＮ端末装置（２５）。
【請求項２】
前記光入力部（２０）と前記光出力部（２１）と前記バイパス部（４１）と前記受信用分岐路（４２）と前記送信用分岐路（４３）とを透光樹脂で一体成形してなる分岐透光部材（４０）を設け、その分岐透光部材（４０）の外側面を光反射部材（４４）で覆ったことを特徴とする請求項１に記載の光ＬＡＮ端末装置（２５）。
【請求項３】
前記分岐透光部材（４０）のうち前記バイパス部（４１）は直線状に延ばされ、そのバイパス部（４１）の両端部が前記光出力部（２１）及び前記光入力部（２０）をなし、前記受信用分岐路（４２）は、前記バイパス部（４１）の中央部から前記光出力部（２１）側に向かって斜めに延び、前記送信用分岐路（４３）は、前記バイパス部（４１）の中央部から前記光入力部（２０）側に向かって斜めに延びたことを特徴とする請求項２に記載の光ＬＡＮ端末装置（２５）。
【請求項４】
前記光入力部（２０）を一端に備えた第１の透光樹脂製線材（６１）と、前記光出力部（２１）を一端に備えた第２の透光樹脂製線材（６２）と、一端が前記信号処理部（１５）に接続されて前記受信用分岐路（４２）を構成する第３の透光樹脂製線材（６３）と、一端が前記信号処理部（１５）に接続されて前記送信用分岐路（４３）を構成する第４の透光樹脂製線材（６４）とを有し、
前記第１の透光樹脂製線材（６１）のうち前記光入力部（２０）と反対側の端部と、前記第４の透光樹脂製線材（６４）のうち前記信号処理部（１５）と反対側の端部とを対にして束ねると共に、前記第２の透光樹脂製線材（６２）のうち前記光出力部（２１）と反対側の端部と、前記第３の透光樹脂製線材（６３）のうち前記信号処理部（１５）と反対側の端部とを対にして束ね、
前記第１及び第４の透光樹脂製線材（６１，６４）の端面（６１Ａ，６４Ａ）と前記第２及び第３の透光樹脂製線材（６２，６３）の端面（６２Ａ，６３Ａ）とをずらして突き合わせることで、前記第１の透光樹脂製線材（６１）の端面（６１Ａ）を、前記第２及び第３の両透光樹脂製線材（６２，６３）の端面（６２Ａ，６３Ａ）に跨って接合し、前記第２の透光樹脂製線材（６２）の端面（６２Ａ）を、前記第１及び第４の両透光樹脂製線材（６１，６４）の端面（６１Ａ，６４Ａ）に跨って接合してなる透光線材集合体（６０）を備えたことを特徴とする請求項１に記載の光ＬＡＮ端末装置（２５）。
【請求項５】
前記第１乃至第４の透光樹脂製線材（６１，６２，６３，６４）は、光ファイバー（６１，６２，６３，６４）であることを特徴とする請求項４に記載の光ＬＡＮ端末装置（２５）。
【請求項６】
前記第１乃至第４の透光樹脂製線材（６１，６２，６３，６４）の構成する前記光ファイバー（６１，６２，６３，６４）を同一径とし、それら光ファイバー（６１，６２，６３，６４）の端面（６１Ａ，６２Ａ，６３Ａ，６４Ａ）同士を半径分だけずらして突き合わせたことを特徴とする請求項５に記載の光ＬＡＮ端末装置（２５）。
【請求項７】
前記第１と第２の透光樹脂製線材（６１，６２）の構成する前記光ファイバー（６１，６２）の径を、前記第３と第４の透光樹脂製線材（６３，６４）の構成する前記光ファイバー（６３，６４）より大きくし、
前記第１と第２の両透光樹脂製線材（６１，６２）の端面（６１Ａ，６２Ａ）同士の接合面積を、前記第１と第３の両透光樹脂製線材（６１，６３）の端面（６１Ａ，６３Ａ）同士の接合面積、及び、前記第２と第４の両透光樹脂製線材（６２，６４）の端面（６２Ａ，６４Ａ）同士の接合面積より大きくしたことを特徴とする請求項５に記載の光ＬＡＮ端末装置（２５）。
【請求項８】
前記信号処理部（１５）は、前記受信用分岐路（４２）を通して受信した光信号と同じ情報を有した光信号を生成して、所定のタイミングで前記送信用分岐路（４３）に出力するように構成されたことを特徴とする請求項１乃至７の何れかに記載の光ＬＡＮ端末装置（２５）。
【請求項９】
電気駆動部品（３０，３１）を接続可能な電気接続部（２３）を備え、前記信号処理部（１５）は、前記光信号に基づいて前記電気接続部（２３）に電気信号を出力して、前記電気駆動部品（３０，３１）を駆動又は停止することを特徴とする請求項１乃至８の何れかに記載の光ＬＡＮ端末装置（２５）。
【請求項１０】
受動部品（３２，３３）を接続可能な電気接続部（２３）を備え、前記信号処理部（１５）は、前記受動部品（３２，３３）から前記電気接続部（２３）に出力された電気信号に基づき、前記光信号を生成して出力することを特徴とする請求項１乃至９の何れかに記載の光ＬＡＮ端末装置（２５）。
【請求項１１】
メイン制御装置（２６）に、請求項１乃至１０の何れかに記載の光ＬＡＮ端末装置（２５）を複数、光ファイバー（１１）で直列接続してループ状とし、前記メイン制御装置（２６）が出力した光信号を、前記複数の光ＬＡＮ端末装置（２５）が順番に受信するように構成したことを特徴とする光ＬＡＮシステム（１０）。
【請求項１２】
前記メイン制御装置（２６）は、そのメイン制御装置（２６）が出力した光信号と同じ内容の光信号を、前記複数の光ＬＡＮ端末装置（２５）を経由して受信したか否かに基づいて異常の有無を判別することを特徴とする請求項１１に記載の光ＬＡＮシステム（１０）。
【発明の詳細な説明】
【技術分野】
【０００１】
本発明は、光ＬＡＮ端末装置と、複数の光ＬＡＮ端末装置を光ファイバーにより接続して備えた光ＬＡＮシステムとに関する。
【背景技術】
【０００２】
光ＬＡＮシステムの一例として、メイン制御装置に複数の光ＬＡＮ端末装置を光ファイバーで直列接続したループ型の光ＬＡＮシステムが知られている。この光ＬＡＮシステムでは、メイン制御装置から光信号が出力されると、各光ＬＡＮ端末装置は受信した光信号と同じ内容の光信号を生成して後続の光ＬＡＮ端末装置に出力する。これにより、メイン制御装置からの光信号が、所謂、バケツリレー方式で複数の光ＬＡＮ端末装置に順次に伝達される。また、各光ＬＡＮ端末装置は、受信した光信号が自信に対する指令を含んでいるときに、その指令に対する処理を信号処理部で行う。
【０００３】
ところで、上記したバケツリレー方式で光信号を伝達する構成では、一部の光ＬＡＮ端末装置の信号処理部に異常が発生すると光ＬＡＮシステム全体がダウンする。これに対し、図１２に示した従来の光ＬＡＮ端末装置では、光入力部２と光出力部３の間に可動ミラー５，５を備えることで、信号処理部４が故障しても後続の光ＬＡＮ端末装置に光信号を伝達可能な構成になっている。具体的には、正常時には、図１２（Ａ）に示すように、光入力部２に入力された光信号が可動ミラー５で反射して信号処理部４に取り込まれ、信号処理部４が出力した光信号が可動ミラー５で反射して光出力部３及び光ファイバー１を通して後続の光ＬＡＮ端末装置に伝達される。これに対し、信号処理部４に異常が発生した場合には、図１２（Ｂ）に示すように、可動ミラー５，５が光信号の光路上から退避し、光信号が光入力部２から光出力部３へと素通りし、光出力部３及び光ファイバー１を通して後続の光ＬＡＮ端末装置に伝達される（例えば、特許文献１参照）。
【特許文献１】特開平１１−２８４６４７号公報（段落［００２３］−［００２７］、図２、図３）
【発明の開示】
【発明が解決しようとする課題】
【０００４】
しかしながら、上述した従来の光ＬＡＮ端末装置では、可動ミラー５，５の他、可動ミラー５に対する支持機構や駆動源６等が必要になり、装置全体の大型化及び高コスト化が問題になっていた。また、可動ミラー５のような可動部を有しているため、耐衝撃性及び信頼性が低かった。
【０００５】
本発明は、上記事情に鑑みてなされたもので、従来より小型化、低コスト化、耐衝撃性及び信頼性の向上が可能な光ＬＡＮ端末装置及び光ＬＡＮシステムの提供を目的とする。
【課題を解決するための手段】
【０００６】
上記目的を解決するためになされた請求項１の発明に係る光ＬＡＮ端末装置（２５）は、外部の光ファイバー（１１）が連絡されかつ光信号が入力される光入力部（２０）と、外部の光ファイバー（１１）が連絡されかつ光信号を出力する光出力部（２１）と、光信号を受信して電気的な信号処理を行うと共に、光信号を生成して出力可能な信号処理部（１５）と、光入力部（２０）と光出力部（２１）との間を光学的に常時連絡したバイパス部（４１）と、バイパス（４１）又は光入力部（２０）から分岐して、光入力部（２０）からの光信号を信号処理部（１５）に向けて伝達する受信用分岐路（４２）と、バイパス（４１）又は光出力部（２１）から分岐して、信号処理部（１５）からの光信号を光出力部（２１）に向けて伝達する送信用分岐路（４３）と備えたところに特徴を有する。
【０００７】
請求項２の発明は、請求項１に記載の光ＬＡＮ端末装置（２５）において、光入力部（２０）と光出力部（２１）とバイパス部（４１）と受信用分岐路（４２）と送信用分岐路（４３）とを透光樹脂で一体成形してなる分岐透光部材（４０）を設け、その分岐透光部材（４０）の外側面を光反射部材（４４）で覆ったところに特徴を有する。
【０００８】
請求項３の発明は、請求項２に記載の光ＬＡＮ端末装置（２５）において、分岐透光部材（４０）のうちバイパス部（４１）は直線状に延ばされ、そのバイパス部（４１）の両端部が光出力部（２１）及び光入力部（２０）をなし、受信用分岐路（４２）は、バイパス部（４１）の中央部から光出力部（２１）側に向かって斜めに延び、送信用分岐路（４３）は、バイパス部（４１）の中央部から光入力部（２０）側に向かって斜めに延びたところに特徴を有する。
【０００９】
請求項４の発明は、請求項１に記載の光ＬＡＮ端末装置（２５）において、光入力部（２０）を一端に備えた第１の透光樹脂製線材（６１）と、光出力部（２１）を一端に備えた第２の透光樹脂製線材（６２）と、一端が信号処理部（１５）に接続されて受信用分岐路（４２）を構成する第３の透光樹脂製線材（６３）と、一端が信号処理部（１５）に接続されて送信用分岐路（４３）を構成する第４の透光樹脂製線材（６４）とを有し、第１の透光樹脂製線材（６１）のうち光入力部（２０）と反対側の端部と、第４の透光樹脂製線材（６４）のうち信号処理部（１５）と反対側の端部とを対にして束ねると共に、第２の透光樹脂製線材（６２）のうち光出力部（２１）と反対側の端部と、第３の透光樹脂製線材（６３）のうち信号処理部（１５）と反対側の端部とを対にして束ね、第１及び第４の透光樹脂製線材（６１，６４）の端面（６１Ａ，６４Ａ）と第２及び第３の透光樹脂製線材（６２，６３）の端面（６２Ａ，６３Ａ）とをずらして突き合わせることで、第１の透光樹脂製線材（６１）の端面（６１Ａ）を、第２及び第３の両透光樹脂製線材（６２，６３）の端面（６２Ａ，６３Ａ）に跨って接合し、第２の透光樹脂製線材（６２）の端面（６２Ａ）を、第１及び第４の両透光樹脂製線材（６１，６４）の端面（６１Ａ，６４Ａ）に跨って接合してなる透光線材集合体（６０）を備えたところに特徴を有する。
【００１０】
請求項５の発明は、請求項４に記載の光ＬＡＮ端末装置（２５）において、第１乃至第４の透光樹脂製線材（６１，６２，６３，６４）は、光ファイバー（６１，６２，６３，６４）であるところに特徴を有する。
【００１１】
請求項６の発明は、請求項５に記載の光ＬＡＮ端末装置（２５）において、第１乃至第４の透光樹脂製線材（６１，６２，６３，６４）の構成する光ファイバー（６１，６２，６３，６４）を同一径とし、それら光ファイバー（６１，６２，６３，６４）の端面（６１Ａ，６２Ａ，６３Ａ，６４Ａ）同士を半径分だけずらして突き合わせたところに特徴を有する。
【００１２】
請求項７の発明は、請求項５に記載の光ＬＡＮ端末装置（２５）において、第１と第２の透光樹脂製線材（６１，６２）の構成する光ファイバー（６１，６２）の径を、第３と第４の透光樹脂製線材（６１，６２）の構成する光ファイバー（６３，６４）より大きくし、第１と第２の両透光樹脂製線材（６１，６２）の端面（６１Ａ，６２Ａ）同士の接合面積を、第１と第３の両透光樹脂製線材（６１，６３）の端面（６１Ａ，６３Ａ）同士の接合面積、及び、第２と第４の両透光樹脂製線材（６２，６４）の端面（６２Ａ，６４Ａ）同士の接合面積より大きくしたところに特徴を有する。
【００１３】
請求項８の発明は、請求項１乃至７の何れかに記載の光ＬＡＮ端末装置（２５）において、信号処理部（１５）は、受信用分岐路（４２）を通して受信した光信号と同じ情報を有した光信号を生成して、所定のタイミングで送信用分岐路（４３）に出力するように構成されたところに特徴を有する。
【００１４】
請求項９の発明は、請求項１乃至８の何れかに記載の光ＬＡＮ端末装置（２５）において、電気駆動部品（３０，３１）を接続可能な電気接続部（２３）を備え、信号処理部（１５）は、光信号に基づいて電気接続部（２３）に電気信号を出力して、電気駆動部品（３０，３１）を駆動又は停止するところに特徴を有する。
【００１５】
請求項１０の発明は、請求項１乃至９の何れかに記載の光ＬＡＮ端末装置（２５）において、受動部品（３２，３３）を接続可能な電気接続部（２３）を備え、信号処理部（１５）は、受動部品（３２，３３）から電気接続部（２３）に出力された電気信号に基づき、光信号を生成して出力するところに特徴を有する。
【００１６】
請求項１１の発明に係る光ＬＡＮシステム（１０）は、メイン制御装置（２６）に、請求項１乃至１０の何れかに記載の光ＬＡＮ端末装置（２５）を複数、光ファイバー（１１）で直列接続してループ状とし、メイン制御装置（２６）が出力した光信号を、複数の光ＬＡＮ端末装置（２５）が順番に受信するように構成したところに特徴を有する。
【００１７】
請求項１２の発明は、請求項１１に記載の光ＬＡＮシステム（１０）において、メイン制御装置（２６）は、そのメイン制御装置（２６）が出力した光信号と同じ内容の光信号を、複数の光ＬＡＮ端末装置（２５）を経由して受信したか否かに基づいて異常の有無を判別するところに特徴を有する。
【発明の効果】
【００１８】
請求項１の光ＬＡＮ端末装置（２５）では、外部の光ファイバー（１１）から光入力部（２０）に取り込まれた光信号は、バイパス部（４１）と受信用分岐路（４２）とに分かれて進む。そして、受信用分岐路（４２）を進んだ光信号は、信号処理部（１５）で受信されて所定の信号処理が行われ、必要に応じて光信号が出力される。すると、その光信号は、送信用分岐路（４３）から光出力部（２１）を通って外部の光ファイバー（１１）に出力される。一方、バイパス部（４１）を進んだ光信号は、光出力部（２１）まで素通りして、その光出力部（２１）から外部の光ファイバー（１１）に出力される。ここで、バイパス部（４１）は、光入力部（２０）と光出力部（２１）との間を光学的に常時連絡しているので、光ＬＡＮ端末装置（２５）に取り込まれた光信号が、信号処理部（１５）の異常の有無に拘わらず、確実に光ＬＡＮ端末装置（２５）を通過して外部に伝達される。しかも、従来の可動ミラー（５）のような可動部を有しないから耐衝撃性及び信頼性が向上すると共に、部品点数が削減されて小型化及び低コスト化することができる。
【００１９】
また、本発明に係る光ＬＡＮ端末装置（２５）は、メイン制御装置（２６）に複数の光ＬＡＮ端末装置（２５）を光ファイバー（１１）で直列接続してループ状にした、所謂、ループ型の光ＬＡＮシステム（１０）に用いることができる（請求項１１の発明）。そして、本発明に係るループ型の光ＬＡＮシステム（１０）では、一部の光ＬＡＮ端末装置（２５）の信号処理部（１５）に異常が発生しても、メイン制御装置（２６）からの光信号が、異常のある光ＬＡＮ端末装置（２５）のバイパス部（４１）を確実に通過して、後続の光ＬＡＮ端末装置（２５）に伝達される。これにより、ループ型の光ＬＡＮシステム（１０）全体がダウンすることがなくなる。また、光ＬＡＮ端末装置（２５）を通過してメイン制御装置（２６）に信号が戻ってきたか否かに応じて、光ファイバー（１１）を含む光路の断線の有無を検出することができる（請求項１２の発明）。
【００２０】
なお、本発明に係る光ＬＡＮ端末装置（２５）は、メイン制御装置（２６）に複数の光ＬＡＮ端末装置（２５）を光ファイバー（１１）で並列接続した、所謂、スター型の光ＬＡＮシステム（１０）に用いてもよい。この場合も、光ＬＡＮ端末装置（２５）を通過してメイン制御装置（２６）に信号が戻ってきたか否かに応じて、光ファイバー（１１）を含む光路の断線の有無を検出することができる。
【００２１】
請求項２の構成によれば、光入力部（２０）と光出力部（２１）とバイパス部（４１）と受信用分岐路（４２）と送信用分岐路（４３）とを透光樹脂で一体成形してなる分岐透光部材（４０）を設けたので、これら光入力部（２０）、バイパス部（４１）等を別部品で構成した場合と比較して部品点数の削減が図られる。また、分岐透光部材（４０）の外側面を光反射部材（４４）で覆ったので、光信号が分岐透光部材（４０）の外部に漏れることもない。さらに、分岐透光部材（４０）は、請求項３の構成のように、バイパス部（４１）を直線状に延ばし、その中央部から受信用分岐路（４２）と送信用分岐路（４３）とを斜めに延ばした構成とすることで、コンパクトな構造にすることができる。
【００２２】
請求項４の構成によれば、第１の透光樹脂製線材（６１）の一端の光入力部（２０）に入光した光信号は、第２及び第３の両透光樹脂製線材（６２，６３）に分かれて進む。そして、第３の透光樹脂製線材（６３）に進んだ光信号は、信号処理部（１５）で受信されて所定の信号処理が行われ、必要に応じて光信号が出力される。すると、その光信号は、第４の透光樹脂製線材（６４）から、第２の透光樹脂製線材（６２）に進み、その第２の透光樹脂製線材（６２）の一端の光出力部（２１）を通って外部の光ファイバー（１１）に出力される。一方、第１の透光樹脂製線材（６１）から第２の透光樹脂製線材（６２）に進んだ光信号は、第２の透光樹脂製線材（６２）の一端の光出力部（２１）まで素通りして、その光出力部（２１）から外部の光ファイバー（１１）に出力される。
【００２３】
ここで、請求項５の構成ように、第１〜第４の透光樹脂製線材（６１，６２，６３，６４）を、汎用部品である光ファイバー（６１，６２，６３，６４）で構成すれば、製造コストを抑えることができる。また、請求項６の構成のように第１〜第４の透光樹脂製線材（６１，６２，６３，６４）の構成する光ファイバー（６１，６２，６３，６４）を同一径とし、それら光ファイバー（６１，６２，６３，６４）の端面（６１Ａ，６２Ａ，６３Ａ，６４Ａ）同士を半径分だけずらして突き合わせれば、信号処理部（１５）を通過する信号処理ルートと、信号処理部（１５）を素通りするバイパスルートとに均等の光強度で光信号を分配することができる。
【００２４】
一方、請求項７の構成のように、第１と第２の透光樹脂製線材（６１，６２）の構成する光ファイバー（６１，６２）の径を、第３と第４の透光樹脂製線材（６３，６４）の構成する光ファイバー（６３，６４）より大きくし、第１と第２の両透光樹脂製線材（６１，６２）の端面（６１Ａ，６２Ａ）同士の接合面積を、第１と第３の両透光樹脂製線材（６１，６３）の端面（６１Ａ，６３Ａ）同士の接合面積、及び、第２と第４の両透光樹脂製線材（６２，６４）の端面（６２Ａ，６４Ａ）同士の接合面積より大きくすれば、信号処理部（１５）を通過する信号処理ルートより、信号処理部（１５）を素通りするバイパスルートへの光信号の光の強度を大きくすることができる。
【００２５】
請求項８の構成によれば、外部の光ファイバー（１１）を光信号が通過する間にその光の強度が低下した場合に、各光ＬＡＮ端末装置（２５）の信号処理部（１５）がその光信号と同じ情報を有した光信号を生成し、受信した光信号より光の強度を上げて後続の光ＬＡＮ端末装置（２５）に送信することができる。これにより、安定した光通信を行うことができる。
【００２６】
請求項９の構成では、信号処理部（１５）が、光信号に基づいて電気接続部（２３）に電気信号を出力し、光ＬＡＮ端末装置（２５）に接続された電気駆動部品（３０，３１）を駆動又は停止することができる。また、請求項１０の構成では、信号処理部（１５）が、光ＬＡＮ端末装置（２５）に接続された受動部品（３２，３３）から電気信号を取得して光信号を生成し、光出力部（２１）から外部に出力することができる。
【発明を実施するための最良の形態】
【００２７】
［第１実施形態］
以下、本発明の一実施形態を図１〜図４に基づいて説明する。図１に示した本実施形態の光ＬＡＮシステム１０は、車両に搭載された、所謂、車載ＬＡＮであって、１つのメイン制御装置２６と、複数（本実施形態では、４つ）の光ＬＡＮ端末装置２５とを光ファイバー１１で接続してなる。
【００２８】
図２（Ａ）に示すように、各光ＬＡＮ端末装置２５には、分岐透光部材４０が備えられている。分岐透光部材４０は、図３（Ａ）に拡大して示されており、直線状に延びたバイパス部４１を有し、そのバイパス部４１の軸方向の両端寄り位置から軸方向の中央側に向かって斜めに受信用分岐路４２と送信用分岐路４３が延びた形状になっている。また、この分岐透光部材４０は、透光樹脂の一体成形品であって、側面全体が光反射部材４４で覆われている（図３（Ｂ）参照）。
【００２９】
分岐透光部材４０のうちバイパス部４１の両端部は、本発明に係る光入力部２０及び光出力部２１になっており、図２（Ａ）に示すように、光ＬＡＮ端末装置２５におけるケース２５Ｃの両端面に露出され、光ファイバー１１がそれぞれ接続可能になっている。そして、光入力部２０から光ＬＡＮ端末装置２５内に光信号が取り込まれると、その光信号は、途中でバイパス部４１と受信用分岐路４２とに分かれて進み、バイパス部４１を進んだ光信号は、そのまま光出力部２１から外部の光ファイバー１１に伝達される。
【００３０】
受信用分岐路４２及び送信用分岐路４３は、バイパス部４１の側面のうち同じ側に配置されて互いに接近するように延びている。そして、受信用分岐路４２及び送信用分岐路４３の各先端部が、信号処理部１５に接続されている。具体的には、信号処理部１５には、Ｏ／Ｅ変換素子（光／電気変換素子）１２と、Ｅ／Ｏ変換素子（光／電気変換素子）１４とが設けられ、それらＯ／Ｅ変換素子１２及びＥ／Ｏ変換素子１４がＣＰＵ１３に電気接続されている。また、Ｏ／Ｅ変換素子１２は、受信用分岐路４２の端面に対向配置されるか、或いは、図示しない透光部材を介してＯ／Ｅ変換素子１２と受信用分岐路４２とが光学的に接続されている。これと同様に、Ｅ／Ｏ変換素子１４は、送信用分岐路４３の端面に対向配置されるか、或いは、図示しない透光部材を介してＥ／Ｏ変換素子１４と送信用分岐路４３とが光学的に接続されている。そして、光入力部２０から受信用分岐路４２側に進んだ光信号が、Ｏ／Ｅ変換素子１２によって電気信号に変換されてＣＰＵ１３に取り込まれる。ＣＰＵ１３では所定の処理を行って電気信号を生成し、その電気信号がＥ／Ｏ変換素子１４によって光信号に変換されて送信用分岐路４３に出力される。すると、その光信号は送信用分岐路４３、光出力部２１から外部の光ファイバー１１に出力される。なお、図示しないが、信号処理部１５には、各種プログラムを記憶したＲＯＭやデータを一次的に記憶するＲＡＭも備えられている。
【００３１】
光ＬＡＮ端末装置２５には、電気機器を接続するための電気接続部２３がそれぞれ設けられている。そして、複数の光ＬＡＮ端末装置２５のうち第１の光ＬＡＮ端末装置２５の電気接続部２３には、例えば、テールランプ３０が接続され、第２の光ＬＡＮ端末装置２５の電気接続部２３には、例えば、ワイパー用モータ３１が接続され、第３の光ＬＡＮ端末装置２５の電気接続部２３には、例えば、ドアの開閉状態を検知するためのドアスイッチ３２が接続され、第４の光ＬＡＮ端末装置２５の電気接続部２３には、例えば、シートベルトの着脱状態を検知するシートベルト用スイッチ３３が接続されている。これらテールランプ３０及びワイパー用モータ３１が、本発明に係る「電気駆動部品」に相当し、ドアスイッチ３２及びシートベルト用スイッチ３３が本発明に係る「受動部品」に相当する。そして、第１から第４の各光ＬＡＮ端末装置２５を区別するために、各光ＬＡＮ端末装置２５には固有アドレスが割り当てられている。
【００３２】
なお、電気駆動部品は上記したものに限られず、例えば、エアコン、カーオーディオ、パワーウインド用モータ、ドアミラー用モータ等であってもよい。
【００３３】
図２（Ｂ）に示すようにメイン制御装置２６は、光ＬＡＮ端末装置２５と同様に、光入力部２０と光出力部２１とを備え、内部に信号処理部１５を有している。そして、光入力部２０と光出力部２１との間が光学的に断絶されている点が光ＬＡＮ端末装置２５と異なっている。また、メイン制御装置２６には、車両制御装置１６が接続されている。
【００３４】
さて、図１に示すように、光ＬＡＮシステム１０は、メイン制御装置２６に対して第１〜第４の光ＬＡＮ端末装置２５を光ファイバー１１で直列接続してループ状にした構成になっている。具体的には、メイン制御装置２６の光出力部２１とテールランプ３０に係る第１の光ＬＡＮ端末装置２５の光入力部２０とが光ファイバー１１で接続され、第１の光ＬＡＮ端末装置２５の光出力部２１とワイパー用モータ３１に係る第２の光ＬＡＮ端末装置２５の光入力部２０とが光ファイバー１１で接続されている。また、第２の光ＬＡＮ端末装置２５の光出力部２１とドアスイッチ３２に係る第３の光ＬＡＮ端末装置２５の光入力部２０とが光ファイバー１１で接続され、第３の光ＬＡＮ端末装置２５の光出力部２１とシートベルト用スイッチ３３に係る第４の光ＬＡＮ端末装置２５の光入力部２０とが光ファイバー１１で接続されている。そして、第４の光ＬＡＮ端末装置２５の光出力部２１とメイン制御装置２６の光入力部２０とが光ファイバー１１で接続されている。これにより、メイン制御装置２６と光ＬＡＮ端末装置２５とが光ファイバー１１によってループ状に接続され、そのループの一方向回りで順番に光信号が伝達される構成となっている。
【００３５】
なお、図１に示すように第１〜第４の各光ＬＡＮ端末装置２５は、メイン制御装置２６に対して電力ラインＥＬによっても接続されている。そして、図示しない電源スイッチをオンすると、メイン制御装置２６が外部電源（図示せず）から電力を受けて起動し、各光ＬＡＮ端末装置２５が電力ラインＥＬを介してメイン制御装置２６から電力を受けて起動する。
【００３６】
本実施形態の光ＬＡＮシステム１０の構成は以上であって、次に動作を説明する。この光ＬＡＮシステム１０を搭載した車両において、例えば、運転者がワイパーの操作スイッチをオン操作した場合には、その操作情報を車両制御装置１６が取得して、メイン制御装置２６にワイパー作動指令を付与する。すると、メイン制御装置２６は、ワイパー用モータ３１が接続された第２の光ＬＡＮ端末装置２５の固有アドレスと、ワイパー用モータ３１の起動命令を含んだ送信データを生成する。その送信データは、図４に概念的なシリアルデータにして示したように、データの先頭を示すヘッダＤ１と、固有アドレスを含んだアドレス指定部Ｄ２と、指令その他の情報を含んだデータ本体部Ｄ３と、データの末尾を示すフッタＤ４とを先頭から順番に備えてなる。そして、ワイパーを作動させるためには、アドレス指定部Ｄ２に第２の光ＬＡＮ端末装置２５の固有アドレスが含められ、データ本体部Ｄ３にワイパー用モータ３１の起動命令が含められる。そして、メイン制御装置２６は、この電気的な送信データをＥ／Ｏ変換素子１４で光信号に変換し、光ファイバー１１を介して光ＬＡＮ端末装置２５群に向けて出力する。
【００３７】
この光信号は、最初に第１の光ＬＡＮ端末装置２５の光入力部２０に取り込まれる。そして、その光入力部２０に取り込まれた光信号は、バイパス部４１と受信用分岐路４２とに分かれて進む。このとき、バイパス部４１を進んだ光信号は、光入力部２０から光出力部２１まで素通りして、その光出力部２１から光ファイバーを介して次の第２の光ＬＡＮ端末装置２５に向かう。そして、第２〜第４の光ＬＡＮ端末装置２５でも同様にバイパス部４１を進んだ光信号は、光入力部２０から光出力部２１まで素通りする。そして、第４の光ＬＡＮ端末装置２５の光出力部２１から光ファイバーを介してメイン制御装置２６に向う。このようにして、第１〜第４の光ＬＡＮ端末装置２５がメイン制御装置２６からの光信号を共に受信することができ、また、光ＬＡＮシステム１０の全長次第によっては、メイン制御装置２６も自信が出力した光信号を受信することができる。
【００３８】
さて、第１〜第４の各光ＬＡＮ端末装置２５において、受信用分岐路４２を進んだ光信号は信号処理部１５のＯ／Ｅ変換素子１２で電気信号に変換されてＣＰＵ１３に取り込まれる。ＣＰＵ１３では、受信した送信データのアドレス指定部Ｄ２に含まれる固有アドレスが、自信の固有アドレスと一致するか否かを判別する。ここで、上述の如く、ワイパーを作動させるための光信号がメイン制御装置２６から送信された場合には、第２の光ＬＡＮ端末装置２５のＣＰＵ１３が、アドレス指定部Ｄ２と自信の固有アドレスとが一致したと判断し、データ本体部Ｄ３に含まれる指令に応じてワイパー用モータ３１を駆動する。これにより、ワイパーが作動する。一方、第２の光ＬＡＮ端末装置２５以外の光ＬＡＮ端末装置２５は、アドレス指定部Ｄ２と自信の固有アドレスとが不一致であったと判断して、次の光信号を待つ。また、第２の光ＬＡＮ端末装置２５のＣＰＵ１３は、正常にワイパー用モータ３１を駆動した情報を含めた送信データを電気信号として生成する。具体的には、この送信データのアドレス指定部Ｄ２にメイン制御装置２６の固有アドレスを含め、データ本体部Ｄ３に正常に処理を行った旨の情報を含めた送信データを生成し、これをＥ／Ｏ変換素子１４で光信号に変換して光出力部２１から外部に出力する。すると、後続の光ＬＡＮ端末装置２５は、アドレス指定部Ｄ２を参照してこの光信号を無視し、メイン制御装置２６がこの光信号を受信してワイパー用モータ３１が正常に駆動したことを確認することができる。なお、テールランプ３０の操作に対する処理に関してもこれと同様である。
【００３９】
メイン制御装置２６は、例えば、所定周期で第３の光ＬＡＮ端末装置２５に向けてドアスイッチ３２のオンオフ状態を確認するための送信データ（図４参照）を電気信号として生成する。具体的には、ワイパーの作動指令の場合と同様に、アドレス指定部Ｄ２に第３の光ＬＡＮ端末装置２５の固有アドレスを含め、データ本体部Ｄ３にドアスイッチ３２のオンオフ確認指令を含めた送信データを生成し、これを光信号にして出力する。すると、第３の光ＬＡＮ端末装置２５のＣＰＵ１３のみがこの光信号に応じて、ドアスイッチ３２がオン・オフの何れであるかを確認する。そして、ドアスイッチ３２がオン・オフの何れであったかの情報を含めた送信データをメイン制御装置２６宛に生成して出力する。メイン制御装置２６は、これを受信して車両制御装置１６に送信する。すると、車両制御装置１６は、所定の警告ランプを点灯させる。なお、シートベルト用スイッチ３３のオンオフ確認に関してもこれと同様である。
【００４０】
さて、第１〜第４のうち何れかの光ＬＡＮ端末装置２５における信号処理部１５に異常が発生した場合には、その光ＬＡＮ端末装置２５は、メイン制御装置２６の指令に対して応答する光信号を送信することができない。しかしながら、本実施形態の光ＬＡＮ端末装置２５に備えたバイパス部４１は、その光ＬＡＮ端末装置２５の光入力部２０と光出力部２１との間を光学的に常時連絡しているので、メイン制御装置２６又は正常な光ＬＡＮ端末装置２５が出力した光信号は、各光ＬＡＮ端末装置２５の信号処理部１５の異常の有無に拘わらず、各光ＬＡＮ端末装置２５のバイパス部４１を確実に通過して後続に伝達される。これにより、光ＬＡＮシステム１０全体がダウンすることが無くなる。
【００４１】
即ち、本実施形態の光ＬＡＮ端末装置２５は、信号処理部１５を経由する信号処理ルートとバイパス部４１を経由するバイパスルートとの２つのルートを備えているので、信号処理部１５を含む信号処理ルートに異常が発生しても光ＬＡＮシステム１０のシステムダウンは防がれる。そして、そのバイパスルートを構成するバイパス部４１は、光入力部２０と光出力部２１との間を光学的に常時連絡した構造になっているので、従来の可動ミラー５のような可動部を有する構造のものに比べて耐衝撃性及び信頼性が向上すると共に、部品点数が削減されて軽量化、小型化及び低コスト化が図られる。
【００４２】
また、この光ＬＡＮ端末装置２５は、光入力部２０と光出力部２１とバイパス部４１と受信用分岐路４２と受信用分岐路４２とを透光樹脂で一体成形してなる分岐透光部材４０を備えているので、これら光入力部２０、バイパス部４１等を別部品で構成した場合と比較して部品点数が削減される。さらに、透光樹脂の一体成形品の外側面を光反射部材４４で覆ったので、光信号が分岐透光部材４０の外部に漏れることもない。
【００４３】
なお、メイン制御装置２６は、所定の光ＬＡＮ端末装置２５に指令を送ったにも拘わらず、応答が無かった場合に、何れの光ＬＡＮ端末装置２５に異常が発生したかを検出することができる。また、光ＬＡＮ端末装置２５を通過してメイン制御装置２６に信号が戻ってきたか否かに応じて、光ファイバー１１を含む光路の断線の有無を検出することもできる。
【００４４】
［第２実施形態］
本実施形態は、前記第１実施形態とは光通信の通信プロトコルが異なり、それ以外の構成は第１実施形態と同じになっている。以下、第１実施形態と異なる構成に関してのみ説明する。即ち、本実施形態の各光ＬＡＮ端末装置２５に備えたＣＰＵ１３は、光信号の送信源であるメイン制御装置２６との間に、他の光ＬＡＮ端末装置２５が幾つ存在するかに基づいて待機時間を演算する。また、光信号として受信した送信データを複製してそのデータ本体部Ｄ３（図４参照）に自信の固有アドレスを含めた送信データを生成する。そして、メイン制御装置２６からの光信号を受信し終えてから所定時間後に複製の送信データを光信号にして出力する。
【００４５】
具体的には、図５のタイムチャートに示すように、メイン制御装置２６がメイン送信データＲ０を光信号にして出力すると、それを受信した第１の光ＬＡＮ端末装置２５では、そのメイン送信データＲ０と同じ内容を含みかつデータ本体部Ｄ３に第１の光ＬＡＮ端末装置２５が生成した情報を含んだ第１複製送信データＲ１を生成する。そして、第１の光ＬＡＮ端末装置２５がメイン送信データＲ０を受信し終えてから所定の待機時間Ｔ１後に、第１複製送信データＲ１を光信号にして第２の光ＬＡＮ端末装置２５に向けて出力する。
【００４６】
すると、第２の光ＬＡＮ端末装置２５では、第１の光ＬＡＮ端末装置２５におけるバイパス部４１を素通りしたメイン送信データＲ０に次いで第１複製送信データＲ１を受信する。これに対し、第２の光ＬＡＮ端末装置２５のＣＰＵ１３は、メイン制御装置２６が送信したメイン送信データＲ０と同じ内容を含みかつデータ本体部Ｄ３に第２の光ＬＡＮ端末装置２５が生成した情報を含んだ第２複製送信データＲ２を生成し、メイン送信データＲ０を受信し終えてから所定の待機時間Ｔ２後に、第２複製送信データＲ２を光信号にして第３の光ＬＡＮ端末装置２５に向けて出力する。この結果、第２複製送信データＲ２は、第１複製送信データＲ１が送信され終わった後、所定の間隔Ｔ１０後に第３の光ＬＡＮ端末装置２５に向かって送信される。
【００４７】
すると、第３の光ＬＡＮ端末装置２５のＣＰＵ１３は、第２の光ＬＡＮ端末装置２５におけるバイパス部４１を素通りしたメイン送信データＲ０、第１複製送信データＲ１に次いで第２複製送信データＲ２を受信する。そして、第３の光ＬＡＮ端末装置２５は、上記した第２の光ＬＡＮ端末装置２５と同様に、第３複製送信データＲ３を生成し、光信号にして第４の光ＬＡＮ端末装置２５に出力する。また、第４の光ＬＡＮ端末装置２５も同様に、第３の光ＬＡＮ端末装置２５におけるバイパス部４１を素通りしたメイン送信データＲ０、第１複製送信データＲ１，第２複製送信データＲ２に次いで第３複製送信データＲ３を受信し、第４複製送信データＲ４を生成し、光信号にしてメイン制御装置２６に出力する。
【００４８】
また、各光ＬＡＮ端末装置２５の信号処理部１５は、受信したメイン送信データＲ０に自信に対する指令が含まれていた場合に所定の処理を行う。ここで、メイン制御装置２６から比較的離れた第３の光ＬＡＮ端末装置２５では、受信したメイン送信データＲ０と第１及び第２の複製送信データＲ１，Ｒ２とを対比してデータが一致しているか否かをそれぞれ確認する。また、第４の光ＬＡＮ端末装置２５も同様に、受信したメイン送信データＲ０と第１〜第３の複製送信データＲ１，Ｒ２，Ｒ３とを対比する。そして、メイン送信データＲ０と第１〜第３の複製送信データＲ１，Ｒ２，Ｒ３との相互間で最も一致していたデータを採用して処理を行う。また、第１〜第３の複製送信データＲ１，Ｒ２，Ｒ３との相互間でデータが一致しなかった場合には、例えば最も近い光ＬＡＮ端末装置２５からの複製送信データに基づいて処理を行う。
【００４９】
本実施形態の構成によれば、光の強度が低下した光信号を受信した場合に、各光ＬＡＮ端末装置２５の信号処理部１５がその光信号と同じ情報を有した光信号を生成し、光の強度を上げて後続の光ＬＡＮ端末装置２５に送信することができる。これにより、安定した光通信を行うことができる。ところで、例えば、図６に示すように第１の光ＬＡＮ端末装置２５の信号処理部１５に異常が発生した場合には、第２〜第４の光ＬＡＮ端末装置２５は、第１の光ＬＡＮ端末装置２５からの第１複製送信データＲ１を受信することができなくなる。また、メイン制御装置２６からのメイン送信データＲ０の光信号における光の強度が低下する場合も起こり得る。しかしながら、本実施形態の構成によれば、第２複製送信データＲ２が、メイン送信データＲ０に係る光信号の光の強度が減衰しないうちに受信して、そのメイン送信データＲ０と同じ内容の第２複製送信データＲ２を出力するので、メイン制御装置２６から比較的離れた第３及び第４の光ＬＡＮ端末装置２５では、第２の複製送信データＲ２に基づいて処理を行うことができる。また、メイン制御装置２６は、何れかの光ＬＡＮ端末装置２５の信号処理部１５が故障したかを検出することができる。
【００５０】
［第３実施形態］
本実施形態は、前記第１実施形態の分岐透光部材４０に代えて、本発明に係る透光線材集合体６０を光ＬＡＮ端末装置２５に備えた構成になっている。以下、第１実施形態と同一の構成に関しては、同一符号を付して重複説明を省略し、第１実施形態と異なる構成に関してのみ説明する。
【００５１】
図７に示すように透光線材集合体６０は、第１〜第４の４つの光ファイバー６１〜６４からなる。第１の光ファイバー６１は、本発明に係る「第１の透光樹脂製線材」に相当し、一端が光入力部２０になっており、その光入力部２０が外部の光ファイバー１１に接続されている。第２の光ファイバー６２は、本発明に係る「第２の透光樹脂製線材」に相当し、一端が光出力部２１になっており、その光出力部２１が外部の光ファイバー１１に接続されている。第３の光ファイバー６３は、本発明に係る「第３の透光樹脂製線材」及び「受信用分岐路」に相当し、一端が信号処理部１５に接続されている。より具体的には、第３の光ファイバー６３の一端が、信号処理部１５のうちＯ／Ｅ変換素子１２に接続され、そのＯ／Ｅ変換素子１２が信号処理部１５のＣＰＵ１３に接続されている。第４の光ファイバー６４は、本発明に係る「第４の透光樹脂製線材」及び「送信用分岐路」に相当し、一端が信号処理部１５に接続されている。より具体的には、第４の光ファイバー６４の一端が、信号処理部１５のうちＥ／Ｏ変換素子１４に接続され、そのＥ／Ｏ変換素子１４が信号処理部１５のＣＰＵ１３に接続されている。
【００５２】
これら４つの光ファイバー６１〜６４は、第１と第４の光ファイバー６１，６４のペアと、第２と第３の光ファイバー６２，６３のペアとに分けられている。そして、第１の光ファイバー６１のうち光入力部２０と反対側の端部と、第４の光ファイバー６４のうち信号処理部１５と反対側の端部とが束ねられ、第２の光ファイバー６２のうち光出力部２１と反対側の端部と、第３の光ファイバー６３のうち信号処理部１５と反対側の端部とが束ねられている。また、これら第１と第４の光ファイバー６１，６４の束ねられた側の端面６１Ａ，６４Ａと、第２と第３の光ファイバー６２，６３の束ねられた側の端面６２Ａ，６３Ａとがずらして突き合わされている。詳細には、図８に示すように、４つの光ファイバー６１〜６４は同じ径をなし、その半径分だけずらして端面６４Ａ，６１Ａと、端面６２Ａ，６３Ａとが突き合わされている。そして、第１の光ファイバー６１の端面６１Ａが、第２及び第３の両光ファイバー６２，６３の端面６２Ａ，６３Ａに跨って接合し、第２の光ファイバー６２の端面６２Ａが、第１及び第４の両光ファイバー６１，６４の端面６１Ａ，６４Ａに跨って接合している。
【００５３】
本実施形態の構成によれば、第１の光ファイバー６１の一端の光入力部２０に入光した光信号は、第２及び第３の両光ファイバー６２，６３に分かれて進む。そして、第３の光ファイバー６３に進んだ光信号は、信号処理部１５で受信されて所定の信号処理が行われ、必要に応じて光信号が出力される。すると、その光信号は、第４の光ファイバー６４から第２の光ファイバー６２に進み、その第２の光ファイバー６２の一端の光出力部２１を通って外部の光ファイバー１１に出力される。一方、第１の光ファイバー６１から第２の光ファイバー６２に進んだ光信号は、第２の光ファイバー６２の一端の光出力部２１まで素通りして、その光出力部２１から外部の光ファイバー１１に出力される。即ち、第１と第２の光ファイバー６１，６２で本発明に係るバイパス部が構成され、第１実施形態と同様の効果を奏する。また、透光線材集合体６０が汎用品である光ファイバー６１〜６４で構成されているので、製造コストを抑えることができる。また、第１〜第４の光ファイバー６１〜６４を同一径とし、それらの端面６１Ａ〜６４Ａ同士を半径分だけずらして突き合わせたので、信号処理部１５を通過する信号処理ルートと、信号処理部１５を素通りするバイパスルートとに均等の光強度で光信号を分配することができる。
【００５４】
なお、光ファイバー６１〜６４の代わりに、透光樹脂で棒状部材を射出成形し、その棒状部材の側面全体を光反射部材で覆ったものを４本備えて上記した透光線材集合体６０を構成してもよい。
【００５５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５６】
（１）上記実施形態では、車両に搭載された光ＬＡＮシステム１０に本発明を適用したが、家屋、事務所、工場等のＬＡＮに本発明を適用してもよい。
【００５７】
（２）図９（Ａ）に示すように、本発明に係る分岐透光部材４０は、バイパス部４１の中央部から受信用分岐路４２が光出力部２１側に向かって斜めに延び、送信用分岐路４３が光入力部２０側に向かって斜めに延びた構造にしてもよい。この場合、図９（Ａ）に示すように、これら受信用分岐路４２と送信用分岐路４３とがバイパス部４１の側面において同じ側（図９（Ａ）の上側）に配置された構造にしてもよいし、図９（Ｂ）に示すように、これら受信用分岐路４２と送信用分岐路４３とがバイパス部４１の側面において１８０度反対側（図９（Ｂ）の上側と下側）に配置された構造にしてもよい。
【００５８】
（３）また、図１０に示すように、比較的太い大径光ファイバー１７の一端面１７Ａに、その大径光ファイバー１７の約半分の径の小径光ファイバー１８，１９を対にしてそれらの端面１８Ａ，１９Ａを接合すると共に、大径光ファイバー１７の他端面１７Ａにも、小径光ファイバー１８，１９を対にしてそれらの端面１８Ａ，１９Ａを接合して分岐透光部材４０を構成してもよい。この場合、同軸状に配置された１対の小径光ファイバー１９，１９と大径光ファイバー１７の一部によって本発明に係るバイパスが構成され、一方の小径光ファイバー１８によって送信用分岐路４３が構成され、他方の小径光ファイバー１８によって受信用分岐路４２が構成される。
【００５９】
（４）上記実施形態では各光ＬＡＮ端末装置２５の分岐透光部材４０と光ファイバー１１とが別体であったが、分岐透光部材４０と光ファイバー１１とを一体にしてもよい。
【００６０】
（５）上記実施形態では、光ＬＡＮシステム１０に接続された光ＬＡＮ端末装置２５の数は４つであったが、４つ以外の複数にしてもよい。
【００６１】
（６）上記実施形態の光ＬＡＮシステム１０において、メイン制御装置２６と終端の光ＬＡＮ端末装置２５（前記第１実施形態では、第４の光ＬＡＮ端末装置２５）との間を切り離した構成にしてもよい。
【００６２】
（７）また、本発明に係る光ＬＡＮ端末装置は、メイン制御装置に複数の光ＬＡＮ端末装置を光ファイバー１１で並列接続した、所謂、スター型の光ＬＡＮシステムに用いてもよい。この場合も、光ＬＡＮ端末装置を通過してメイン制御装置に信号が戻ってきたか否かに応じて、光ファイバーを含む光路の断線の有無を検出することができる。
【００６３】
（８）前記第３実施形態では透光線材集合体６０を構成する第１〜第４の光ファイバー６１〜６４の径は同一になっていたが、これら光ファイバー６１〜６４の径を異ならせてもよい。具体的には、図１１に示すように前記第３実施形態における第１及び第２の光ファイバー６１，６２の径を、第３と第４の光ファイバー６３，６４より大きくしてもよい。そして、第１及び第２の両光ファイバー６１，６２の端面６１Ａ，６２Ａ同士の接合面積を、第１と第３の両光ファイバー６１，６３の端面６１Ａ，６３Ａ同士の接合面積、及び、第２と第４の両光ファイバー６２，６４の端面６２Ａ，６４Ａ同士の接合面積より大きくしてもよい。この構成によれば、信号処理ルートよりバイパスルートへの光信号の光の強度を大きくすることができる。なお、図１１に例示した透光線材集合体６０では、第１と第２の光ファイバー６１，６２の径が比較的大径でかつ同一径になっており、第３と第４の光ファイバー６３，６４の径が比較的小径でかつ同一径になっている。また、第１〜第４の光ファイバー６１〜６４の径の大小関係は第３実施形態及び上記変形例に限定されるものではない。従って、例えば、第１〜第４の光ファイバー６１〜６４の径を全て異ならせてもよいし、或いは、第１〜第４のうち任意複数の光ファイバーの径を同一にしてもよい。
【図面の簡単な説明】
【００６４】
【図１】本発明の第１実施形態に係る光ＬＡＮシステムの概念図
【図２】（Ａ）光ＬＡＮ端末装置の概念図、（Ｂ）メイン制御装置の概念図
【図３】（Ａ）分岐透光部材の側断面図、（Ｂ）その正断面図
【図４】送信データの概念図
【図５】第２実施形態に係る複数の光ＬＡＮ端末装置が正常である場合の光信号の出力タイミングを示すタイミングチャート
【図６】異常時における光信号の出力タイミングを示すタイミングチャート
【図７】第３実施形態に係る光ＬＡＮ端末装置の概念図
【図８】図７のＡ−Ａ切断面における透光線材集合体の断面図
【図９】（Ａ）分岐透光部材の変形例を示した側断面図、（Ｂ）分岐透光部材の変形例を示した側断面図
【図１０】分岐透光部材の変形例を示した側面図
【図１１】透光線材集合体の変形例を示した断面図
【図１２】（Ａ）従来の光ＬＡＮ端末装置の正常時における概念図、（Ｂ）異常時における概念図
【符号の説明】
【００６５】
１０    光ＬＡＮシステム
１１    光ファイバー
１５    信号処理部
２０    光入力部
２１    光出力部
２５    光ＬＡＮ端末装置
２６    メイン制御装置
４０    分岐透光部材
４１    バイパス部
４２    受信用分岐路
４３    送信用分岐路
４４    光反射部材
６０    透光線材集合体
６１〜６４  第１〜第４の光ファイバー
６１Ａ〜６４Ａ  端面
【図１】
2007096362.tif 000003
【図２】
2007096362.tif 000004
【図３】
2007096362.tif 000005
【図４】
2007096362.tif 000006
【図５】
2007096362.tif 000007
【図６】
2007096362.tif 000008
【図７】
2007096362.tif 000009
【図８】
2007096362.tif 000010
【図９】
2007096362.tif 000011
【図１０】
2007096362.tif 000012
【図１１】
2007096362.tif 000013
【図１２】
2007096362.tif 000014